【手続補正書】
【提出日】平成20年7月29日(2008.7.29)
【手続補正１】
【補正対象書類名】明細書
【補正対象項目名】発明の名称
【補正方法】変更
【補正の内容】
【発明の名称】サーバ装置、サーバ装置の制御方法、プログラムおよび記憶媒体
【手続補正２】
【補正対象書類名】明細書
【補正対象項目名】特許請求の範囲
【補正方法】変更
【補正の内容】
【特許請求の範囲】
【請求項１】  ネットワークを介して情報処理装置と接続されたサーバ装置であって、
前記サーバ装置が前記ネットワークを介して前記情報処理装置と通信するために必要なネットワーク設定情報を入力する入力手段と、
前記入力手段により入力されたネットワーク設定情報に基づいて、前記情報処理装置に備えられたネットワークインターフェースであって、当該情報処理装置が前記ネットワークを介して前記サーバ装置と通信するために用いられる第１のネットワークインターフェースに対して設定すべき第１のネットワークアドレスを決定する第１の決定手段と、
前記第１の決定手段により決定された前記第１のネットワークアドレスを、前記第１のネットワークインターフェースに設定させる第１の設定手段と、
を備えることを特徴とするサーバ装置。
【請求項２】  前記入力手段により入力されたネットワーク設定情報に基づいて、前記サーバ装置に備えられたネットワークインターフェースであって、当該サーバ装置が前記ネットワークを介して前記情報処理装置と通信するために用いられる第２のネットワークインターフェースに対して設定すべき第２のネットワークアドレスを決定する第２の決定手段と、
前記第２の決定手段により決定された前記第２のネットワークアドレスを、前記第２のネットワークインターフェースに設定する第２の設定手段と、
を更に備えることを特徴とする請求項１に記載のサーバ装置。
【請求項３】  前記入力手段は、前記サーバ装置が提供するユーザインターフェースを介して受け付けたユーザからの指示に基づいて、前記ネットワーク設定情報を入力することを特徴とする請求項１または２に記載のサーバ装置。
【請求項４】  前記ネットワークとは異なる他のネットワークを介して前記サーバ装置が外部装置と通信するために用いられる第３のネットワークインターフェースを更に備え、
前記入力手段は、前記第３のネットワークインターフェースを介して前記外部装置から受信した前記ネットワーク設定情報を入力することを特徴とする請求項１または２に記載のサーバ装置。
【請求項５】  前記第１の設定手段は、ＳＮＭＰプロトコルを用いて前記第１のネットワークインターフェースへの前記第１のネットワークアドレスの設定を行うことを特徴とする請求項１から４のいずれか１項に記載のサーバ装置。
【請求項６】  ネットワークを介して情報処理装置と接続されたサーバ装置であって、
前記ネットワーク上の装置が使用可能なネットワークアドレスのアドレス範囲を示すネットワークアドレス情報を入力する入力手段と、
前記入力手段により入力されたネットワークアドレス情報に基づいて、前記サーバ装置に備えられたネットワークインターフェースであって、当該サーバ装置が前記ネットワークを介して前記情報処理装置と通信するために用いられる第１のネットワークインターフェースに対して設定すべき第１のネットワークアドレスを決定する第１の決定手段と、
前記入力手段により入力されたネットワークアドレス情報に基づいて、前記情報処理装置に備えられたネットワークインターフェースであって、当該情報処理装置が前記ネットワークを介して前記サーバ装置と通信するために用いられる第２のネットワークインターフェースに対して設定すべき第２のネットワークアドレスとして、前記第１のネットワークアドレスとは異なるネットワークアドレスを決定する第２の決定手段と、
を備えることを特徴とするサーバ装置。
【請求項７】  前記第１の決定手段は、前記入力手段により入力されたネットワークアドレス情報が示すアドレス範囲の最初の値を前記第１のネットワークアドレスとして決定することを特徴とする請求項６に記載のサーバ装置。
【請求項８】  前記第２の決定手段は、前記第１のネットワークアドレスの値に１を加えた値を前記第２のネットワークアドレスとして決定することを特徴とする請求項６または７に記載のサーバ装置。
【請求項９】  ネットワークを介して情報処理装置と接続されたサーバ装置の制御方法であって、
前記サーバ装置が前記ネットワークを介して前記情報処理装置と通信するために必要なネットワーク設定情報を入力する入力工程と、
前記入力工程で入力されたネットワーク設定情報に基づいて、前記情報処理装置に備えられたネットワークインターフェースであって、当該情報処理装置が前記ネットワークを介して前記サーバ装置と通信するために用いられる第１のネットワークインターフェースに対して設定すべき第１のネットワークアドレスを決定する第１の決定工程と、
前記第１の決定工程で決定された前記第１のネットワークアドレスを、前記第１のネットワークインターフェースに設定させる第１の設定工程と、
を備えることを特徴とするサーバ装置の制御方法。
【請求項１０】  前記入力工程で入力されたネットワーク設定情報に基づいて、前記サーバ装置に備えられたネットワークインターフェースであって、当該サーバ装置が前記ネットワークを介して前記情報処理装置と通信するために用いられる第２のネットワークインターフェースに対して設定すべき第２のネットワークアドレスを決定する第２の決定工程と、
前記第２の決定工程で決定された前記第２のネットワークアドレスを、前記第２のネットワークインターフェースに設定する第２の設定工程と、
を更に備えることを特徴とする請求項９に記載のサーバ装置の制御方法。
【請求項１１】  前記入力工程では、前記サーバ装置が提供するユーザインターフェースを介して受け付けたユーザからの指示に基づいて、前記ネットワーク設定情報を入力することを特徴とする請求項９または１０に記載のサーバ装置の制御方法。
【請求項１２】  前記サーバ装置は、前記ネットワークとは異なる他のネットワークを介して前記サーバ装置が外部装置と通信するために用いられる第３のネットワークインターフェースを備え、
前記入力工程では、前記第３のネットワークインターフェースを介して前記外部装置から受信した前記ネットワーク設定情報を入力することを特徴とする請求項９または１０に記載のサーバ装置の制御方法。
【請求項１３】  前記第１の設定工程では、ＳＮＭＰプロトコルを用いて前記第１のネットワークインターフェースへの前記第１のネットワークアドレスの設定を行うことを特徴とする請求項９から１２のいずれか１項に記載のサーバ装置の制御方法。
【請求項１４】  ネットワークを介して情報処理装置と接続されたサーバ装置の制御方法であって、
前記ネットワーク上の装置が使用可能なネットワークアドレスのアドレス範囲を示すネットワークアドレス情報を入力する入力工程と、
前記入力工程で入力されたネットワークアドレス情報に基づいて、前記サーバ装置に備えられたネットワークインターフェースであって、当該サーバ装置が前記ネットワークを介して前記情報処理装置と通信するために用いられる第１のネットワークインターフェースに対して設定すべき第１のネットワークアドレスを決定する第１の決定工程と、
前記入力工程で入力されたネットワークアドレス情報に基づいて、前記情報処理装置に備えられたネットワークインターフェースであって、当該情報処理装置が前記ネットワークを介して前記サーバ装置と通信するために用いられる第２のネットワークインターフェースに対して設定すべき第２のネットワークアドレスとして、前記第１のネットワークアドレスとは異なるネットワークアドレスを決定する第２の決定工程と、
を備えることを特徴とするサーバ装置の制御方法。
【請求項１５】  前記第１の決定工程では、前記入力工程で入力されたネットワークアドレス情報が示すアドレス範囲の最初の値を前記第１のネットワークアドレスとして決定することを特徴とする請求項１４に記載のサーバ装置の制御方法。
【請求項１６】  前記第２の決定工程では、前記第１のネットワークアドレスの値に１を加えた値を前記第２のネットワークアドレスとして決定することを特徴とする請求項１４または１５に記載のサーバ装置の制御方法。
【請求項１７】  請求項９から１６のいずれか１項に記載のサーバ装置の制御方法をコンピュータに実行させるためのプログラム。
【請求項１８】  請求項９から１６のいずれか１項に記載のサーバ装置の制御方法をコンピュータに実行させるためのプログラムを記憶したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、ネットワークを介して情報処理装置と接続されたサーバ装置およびサーバ装置の制御方法およびプログラムおよび記憶媒体に関するものである。
【手続補正４】
【補正対象書類名】明細書
【補正対象項目名】０００８
【補正方法】変更
【補正の内容】
【０００８】
【課題を解決するための手段】
本発明にかかる第１の発明は、ネットワークを介して情報処理装置と接続されたサーバ装置であって、前記サーバ装置が前記ネットワークを介して前記情報処理装置と通信するために必要なネットワーク設定情報を入力する入力手段と、前記入力手段により入力されたネットワーク設定情報に基づいて、前記情報処理装置に備えられたネットワークインターフェースであって、当該情報処理装置が前記ネットワークを介して前記サーバ装置と通信するために用いられる第１のネットワークインターフェースに対して設定すべき第１のネットワークアドレスを決定する第１の決定手段と、前記第１の決定手段により決定された前記第１のネットワークアドレスを、前記第１のネットワークインターフェースに設定させる第１の設定手段と、を備えることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
また、本発明にかかる別の発明は、ネットワークを介して情報処理装置と接続されたサーバ装置であって、前記ネットワーク上の装置が使用可能なネットワークアドレスのアドレス範囲を示すネットワークアドレス情報を入力する入力手段と、前記入力手段により入力されたネットワークアドレス情報に基づいて、前記サーバ装置に備えられたネットワークインターフェースであって、当該サーバ装置が前記ネットワークを介して前記情報処理装置と通信するために用いられる第１のネットワークインターフェースに対して設定すべき第１のネットワークアドレスを決定する第１の決定手段と、前記入力手段により入力されたネットワークアドレス情報に基づいて、前記情報処理装置に備えられたネットワークインターフェースであって、当該情報処理装置が前記ネットワークを介して前記サーバ装置と通信するために用いられる第２のネットワークインターフェースに対して設定すべき第２のネットワークアドレスとして、前記第１のネットワークアドレスとは異なるネットワークアドレスを決定する第２の決定手段と、を備えることを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
さらに、本発明にかかる別の発明は、ネットワークを介して情報処理装置と接続されたサーバ装置の制御方法であって、前記サーバ装置が前記ネットワークを介して前記情報処理装置と通信するために必要なネットワーク設定情報を入力する入力工程と、前記入力工程で入力されたネットワーク設定情報に基づいて、前記情報処理装置に備えられたネットワークインターフェースであって、当該情報処理装置が前記ネットワークを介して前記サーバ装置と通信するために用いられる第１のネットワークインターフェースに対して設定すべき第１のネットワークアドレスを決定する第１の決定工程と、前記第１の決定工程で決定された前記第１のネットワークアドレスを、前記第１のネットワークインターフェースに設定させる第１の設定工程と、を備えることを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
さらに、本発明にかかる別の発明は、ネットワークを介して情報処理装置と接続されたサーバ装置の制御方法であって、前記ネットワーク上の装置が使用可能なネットワークアドレスのアドレス範囲を示すネットワークアドレス情報を入力する入力工程と、前記入力工程で入力されたネットワークアドレス情報に基づいて、前記サーバ装置に備えられたネットワークインターフェースであって、当該サーバ装置が前記ネットワークを介して前記情報処理装置と通信するために用いられる第１のネットワークインターフェースに対して設定すべき第１のネットワークアドレスを決定する第１の決定工程と、前記入力工程で入力されたネットワークアドレス情報に基づいて、前記情報処理装置に備えられたネットワークインターフェースであって、当該情報処理装置が前記ネットワークを介して前記サーバ装置と通信するために用いられる第２のネットワークインターフェースに対して設定すべき第２のネットワークアドレスとして、前記第１のネットワークアドレスとは異なるネットワークアドレスを決定する第２の決定工程と、を備えることを特徴とする。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００８８
【補正方法】変更
【補正の内容】
【００８８】
【発明の効果】
以上に説明したように、本発明によれば、画像デバイスとの通信を行うローカルネットワークに接続されるネットワークインタフェースに対するアドレス設定に連動して、画像デバイスに対する適正なアドレスを調整設定することにより、画像デバイスやネットワークそのものの拡張等によりネットワーク環境の変更が必要となる事態が発生した場合に、既存のネットワーク資源に設定されている画像デバイスやネットワークインタフェースに対するアドレス設定の見直しおよびその再設定のためのユーザ設定操作負担を軽減して、簡単な操作でネットワーク全体として競合することのない適正なアドレス環境設定を実行できる利便性に優れたネットワーク環境を自在に構築できる等の効果を奏する。